(57)【要約】      （修正有）【課題】天ぷら油火災発生時などにおける初期消火のために、簡単に使用でき、消火可能な簡易消火器具を提供する。【解決手段】取っ手棒４の先端に取り付けた揮発性で不燃性の消火液を含有する高吸油性樹脂を内包した袋状体２（容器）からなる簡易消火器具であって、高吸油性樹脂が高温に曝されると不燃性気化ガスを放出し、火災発生時などにおいて初期消火ができる。また、高吸水性樹脂（水を吸水させた）を内包した袋状体（容器）からなる簡易消火器具である。天ぷら油火災時、天ぷら鍋８に容器を投入することにより、高吸油性樹脂が高温に曝されると不燃性気化ガスが放出し、同時に高吸水性樹脂（水を吸水させた）の水分が気化する際の気化熱（潜熱）により天ぷら油の熱量を奪い消火ができる。【選択図】図２
0003133381.tif 000002
【実用新案登録請求の範囲】
【請求項１】
取っ手棒４（伸縮自在又は棒）と、この取っ手棒４の先端部５に紐状体６を介して消火剤を内包した容器２を取り付けた簡易消火器具であって、該消火剤３が揮発性且つ不燃性の消火液を吸油させた高吸油性樹脂からなることを特徴とする簡易消火器具。
【請求項２】
該消火剤３が揮発性且つ不燃性の消火液を吸油させた高吸油性樹脂と高吸水性樹脂に水を吸水させた物からなることを特徴とする請求項１に記載の簡易消火器具。
【請求項３】
上記高吸油性樹脂に吸油させた消火液の沸点が６０℃乃至１６０℃であり、常温で液体であることを特徴とする請求項１〜２に記載の簡易消火器具。
【請求項４】
上記高吸油性樹脂に吸油させた消火液がジブロモメタン（二臭化メタン）、またはジブロモメタンを主成分とする液体混合液であることを特徴とする請求項３に記載の簡易消火器具。
【請求項５】
上記高吸油性樹脂に吸油させた消火液は１３０℃〜２５０℃で気化ガス化し、該気化ガスが放出されることを特徴とする請求項３〜４に記載の簡易消火器具。
【請求項６】
高吸水性樹脂としては、ポリアクリル酸塩系、でんぷん−アクリル酸グラフト系、ポリビニルアルコール系、酢酸ビニル−アクリル酸塩系、イソブチレン−マレイン酸系を主成分とするものからなる請求項２の簡易消火器具。
【請求項７】
取っ手棒４の先端部５の一部が２００℃以下で軟化破断することを特徴する請求項１〜６に記載の簡易消火器具。
【請求項８】
紐状体６が高温で容易に軟化破断する材料からなり、内包された消火液を吸油した高吸油性樹脂及び水を吸水した高吸水性樹脂が放出されることを特徴とする請求項１〜７に記載の簡易消火器具。
【請求項９】
容器２が通気性の袋体からなることを特徴とする請求項１〜７に記載の簡易消火器具。
【請求項１０】
容器２が気密性の袋体からなることを特徴とする請求項１〜７に記載の簡易消火器具。
【考案の詳細な説明】
【技術分野】
【０００１】  本考案は、家庭内、レストラン、ホテル等での台所、調理場、厨房などの小規模火災発生時（特に天ぷら油火災）などにおける初期消火に誰もが容易に使用できる簡易消火器具に関するものである。
【背景技術】
【０００２】  従来より家庭内などに設置されている消火器具として、ＡＢＣ粉末消火器が一般的である。小型軽量と称して簡易消火具も市販されている。例えば、商品名「フラワー消火」として供されているものがある。（実公昭５８−４１９８１）【０００３】  しかしながら、これらの技術に開示されている消火剤は、例えば天ぷら油料理を調理している天ぷら鍋の天ぷら油に着火燃焼するような火災発生時において、発泡することによって空気を遮断し、消火するものである。しかし、発泡展開に時間を要するため完全消火に数十秒要する。火災発生時、慌てている中で数十秒は長い時間であると思われる。
【考案が解決しようとする課題】
【０００４】  以上のように、家庭内での天ぷら油火災発生時、初期消火のための使用が簡単な安心して使える簡易消火器を提供することである。
【課題を解決するための手段】
【０００５】  上記課題を解決するものとして、本考案による簡易消火器は、消火液を吸油させた高吸油性樹脂と水を吸水させた高吸水性樹脂を内包した容器、もしくは、水を吸水させた高吸水性樹脂を内包した容器もしくは消火液を吸油させた高吸油性樹脂を内包したこの容器を先端に取り付けた取っ手棒（伸縮自在又は棒）により構成される。
【０００６】  すなわち、以下の特徴を有する簡易消火器により上記課題が解決される。（請求項１）取っ手棒４（伸縮自在又は棒）と、この取っ手棒４の先端部５に紐状体６を介して消火剤を内包した容器２を取り付けた簡易消火器具であって、該消火剤３が揮発性且つ不燃性の消火液を吸油させた高吸油性樹脂からなることを特徴とする簡易消火器具。（請求項２）該消火剤３が揮発性且つ不燃性の消火液を吸油させた高吸油性樹脂と高吸水性樹脂に水を吸水させた物からなることを特徴とする請求項１に記載の簡易消火器具。（請求項３）上記高吸油性樹脂に吸油させた消火液の沸点が６０℃乃至１６０℃であり、常温で液体であることを特徴とする請求項１〜２に記載の簡易消火器具。（請求項４）上記高吸油性樹脂に吸油させた消火液がジブロモメタン（二臭化メタン）、またはジブロモメタンを主成分とする液体混合液であることを特徴とする請求項３に記載の簡易消火器具。（請求項５）上記高吸油性樹脂に吸油させた消火液は１３０℃〜２５０℃で気化ガス化し、該気化ガスが放出されることを特徴とする請求項３〜４に記載の簡易消火器具。（請求項６）高吸水性樹脂としては、ポリアクリル酸塩系、でんぷん−アクリル酸グラフト系、ポリビニルアルコール系、酢酸ビニル−アクリル酸塩系、イソブチレン−マレイン酸系を主成分とするものからなる請求項２の簡易消火器具。（請求項７）取っ手棒４の先端部６の一部が２００℃以下で軟化破断することを特徴する請求項１〜６に記載の簡易消火器具。（請求項８）紐状体６が高温で容易に軟化破断する材料からなり、内包された高吸油性樹脂及び水を吸水した高吸水性樹脂が放出されることを特徴とする請求項１〜７に記載の簡易消火器具。（請求項９）容器２が通気性の袋体からなることを特徴とする請求項１〜７に記載の簡易消火器具。（請求項１０）容器２が気密性の袋体からなることを特徴とする請求項１〜７に記載の簡易消火器具。
【作用】
【０００７】  本考案に係わる、簡易消火器具は、取り出しやすい場所に常置しておき、火災時、取っ手棒の基端部を片手で持って容器部分を天ぷら鍋に投入すれば火災によって、容器が取っ手棒からはずれ、天ぷら油面の高温に曝され水を吸水した高吸水性樹脂が水を放出し、水が水蒸気になるときの気化熱（潜熱）で天ぷら油より熱量を奪い、天ぷら油の温度を引火点以下に下げる働きがあり、且つ高吸油性樹脂に吸油された揮発性不燃液が気化した気化ガスが火炎及び高温の油面を覆って、空気を遮断して消火する。高吸油性樹脂に吸油された消火剤と高吸水性樹脂に吸水された水の相乗効果もしくは高吸油性樹脂に吸油された消火剤もしくは高吸水性樹脂に吸水された水の効果により、天ぷら油火災の消火効果は高い。
【考案実施の形態】
【０００８】  本考案において、使用される高吸油性樹脂（消火液を吸油させた）もしくは高吸水性樹脂（水を吸水させた）の容器は球状、筒状、角柱状、袋状、板状などの任意の形状を使用することも出来、気密性のあるもの、通気性のあるものも用いる事ができる。容器は透明、半透明あるいは不透明でも良い。
【０００９】  消火のために、容器が火中に投入され、内包された高吸水性樹脂に吸水された水分が油面及び高温に曝された部分より水を放出し、気化することにより、気化熱（潜熱）で天ぷら油の熱量を奪い温度を下げ、消火する。用いる高吸水性樹脂に吸水させた水の量は天ぷら油１リットルに対し５０ｍｌ以上が好ましい。同時に高吸油性樹脂吸油された消火液が高温により気化し、気化ガスが放出されることである。用いる高吸油性樹脂に吸油された消化液の量は天ぷら油１リットルに対し２０ｇ以上が好ましい。この放出ガス及び高吸水性樹脂に吸水された水の相乗効果で消火する。
【００１０】  高吸水性樹脂（水を吸水させた）と高吸油性樹脂（消火液を吸油させた）の組合せを図６〜図８に示す。
【００１１】  従って、用いられる容器の材質あるいは材料として、容器が気密性の場合は、例えば、天ぷら油火災のような高温（３５０℃以上）の場合、火炎や油温で容器が消失するか、軟化・溶融して少なくとも一部が破壊して、高吸油性樹脂（消火液を吸油させた）及び高吸水性樹脂（水を吸水させた）が放出されればよい。従って、天然樹脂、紙やセルロース改質合成樹脂は、火炎で消失するので好ましい。合成樹脂が用いられる場合はその軟化あるいは溶融温度が火災時の油温以下であればよい。ポリエチレン、ポリプロピレン、ナイロン、ポリエチレンテレフタート、ポリ塩化ビニール、ポリスチレンなどが用いられる。これらのブレンドも用いることができる。さらに、容器の通気性のものであれば、気化ガスは容器から放出されるので、容器は破壊される必要がなく、この場合は材質・材料はさらに任意となる。金属繊維、金属網、天然繊維、合繊繊維、織物などが用いられる。
【００１２】  高吸水性樹脂（水を吸水させた）の吸水の仕組みを図４に示す。
【００１３】  高吸油性樹脂（消火液を吸油させた）の吸油の仕組みを図５に示す。
【００１４】  取っ手棒の材料はアルミニウム、ステンレスなどの金属、あるいはポリエチレン、ポリプロピレン、ナイロン、ポリエチレンテレフタレート、ポリ塩化ビニール、ポリスチレンなどの合成樹脂、複合合成樹脂材などを用いることが出来る。
【００１５】  取っ手棒の先端部に紐状体を介して消火剤を内包した容器を吊るす紐状体の材料は、火災で消失あるいは軟化、溶融して破断するものなら何でも良い。天然繊維や合成繊維が好ましく用いられる。
【効果】
【００１６】  この簡易消火器具では、容器部分を天ぷら油に投入した途端から２０秒以内に完全消火し、再着火することがない。天ぷら油火災で慌てている当事者にとって消火できることは安心であり、大きな利点である。
【実施例１】
【００１７】  本考案に基づく実施例について、図１を参照して説明する。
図１には、取っ手棒４（伸縮自在又は棒）と、この取っ手棒４の先端５に紐状体６を介して消火剤を内包した容器２を火災が発生した天ぷら鍋８の中に片手を伸ばし投入されている状態が示されている。本実施例ではステンレス製のものを使用した。ここでの取っ手棒４は、角筒状の伸縮自在又は棒でもよい。【００１８】  容器２は合成樹脂からなる袋体であるが、この容器２は燃焼中の天ぷら鍋８（天ぷら油量約１リットル注入）の中に投入されると、火炎によって瞬時に消失し、内包された高吸油性樹脂（ジブロモメタン２００ｇを吸油させた）が容器から放出されて天ぷら鍋８の天ぷら油中（油温約３５０℃）に落下するとともに、高吸油性樹脂に吸油されたジブロモメタンが気化した気化ガスが火炎及び油面を覆って消火する。容器２を火災発生中の天ぷら鍋に投入してから消火までの時間は２０秒以内であった。そして再引火することはなかった。【００１９】  天ぷら油は酸化の進んだ古い油から新しい油まで、自然発火温度は３００℃〜３７０℃といわれている。本実施例では燃焼時の油温度は約３５０℃であった。ジブロモメタンの場合、不燃性で、常圧での気化温度（沸点）は９７℃である。また気化ガスの比重は空気より重く、気化によって液体時の体積は約３００倍に膨張する。
【実施例２】
【００２０】  本考案に基づく実施例について、図２を参照して説明する。
容器２は合成樹脂からなる袋体であるが、この容器２は燃焼中の天ぷら鍋８（天ぷら油量約１リットル注入）の中に投入されると、火炎によって瞬時に消失し、内包された高吸水性樹脂（高吸水性樹脂５ｇに水３００ｍｌを吸水させたもの）と高吸油性樹脂（ジブロモメタン５０ｇを吸油させた）が容器から放出されて天ぷら鍋８の天ぷら油中（油温約３５０℃）に落下するとともに、高吸油性樹脂に含有にされたジブロモメタンが気化し、気化ガスが火炎及び油面を覆って消火し、同時に高吸水性樹脂の水分が高温の天ぷら油に曝されることにより、水蒸気になり、この時の気化熱（潜熱）により、天ぷら油の熱量を奪い消火する。容器２を火災発生中の天ぷら鍋に投入してから消火までの時間は２０秒以内であった。そして再引火することはなかった。【００２１】  高吸水性樹脂（高吸水性樹脂５ｇに水３００ｍｌを吸水させたもの）の効果は、天ぷら油の比熱≒０．５、比重≒０．９、１０００ｍｌの天ぷら油の重さは≒９００ｇ天ぷら油９００ｇ（油温３５０℃）の熱量＝０．５×９００ｇ×３５０℃＝１５７，５００ｃａｌ＝１５７．５Ｋｃａｌ、水３００ｇを油温３５０℃の天ぷら油に投入した場合、奪う熱量は＝３００ｇ×５３９ｃａｌ＝１６１，７００ｃａｌ＝１６１．７Ｋｃａｌ、結果天ぷら油の油温は降下し、再着火することはない。
【実施例３】
【００２２】  本考案に基づく実施例について、図２を参照して説明する。
容器２は合成樹脂からなる袋体であるが、この容器２は燃焼中の天ぷら鍋８（天ぷら油量約１リットル注入）の中に投入されると、火炎によって瞬時に消失し内包された高吸水性樹脂（高吸水性樹脂３ｇに水４００ｍｌを吸水させたもの）と高吸油性樹脂（ジブロモメタン５０ｇを吸油させた）が容器から放出されて天ぷら鍋８の天ぷら油中（油温約３５０℃）に落下するとともに、高吸油性樹脂含有されたジブロモメタンが気化し、気化ガスが火炎及び油面を覆って消火し、同時に高吸水性樹脂の水分が高温の天ぷら油に曝されることにより、水蒸気になり、この時の気化熱（潜熱）により、天ぷら油の熱量を奪い消火する。容器２を火災発生中の天ぷら鍋に投入してから消火までの時間は１２秒以内であった。そして再引火することはなかった。
【実施例４】
【００２３】本考案に基づく実施例について、図３を参照して説明する。
実施例４は内包された高吸水性樹脂（高吸水性樹脂３ｇに水３００ｍｌを吸水させたもの）が容器から放出されて天ぷら鍋８の天ぷら油中（油温約３５０℃）に落下するとともに、高吸水性樹脂の水分が高温の天ぷら油に曝されることにより、水蒸気になり、この時の気化熱（潜熱）により、天ぷら油の熱量を奪い消火する。容器２を火災発生中の天ぷら鍋に投入してから消火までの時間は２０秒以内であった。そして再引火することはなかった。
【図面の簡単な説明】
【００２４】
【図１】本考案の簡易消火器具の実施図
【図２】本考案の簡易消火器具の実施図
【図３】本考案の簡易消火器具の実施図
【図４】高吸水性樹脂の吸水の仕組み
【図５】高吸油性樹脂の吸油の仕組み
【図６】高吸油性樹脂（消火液を吸油させたもの）と高吸水性樹脂（水を吸水させたもの）組合せ
【図７】高吸油性樹脂（消火液を吸油させたもの）と高吸水性樹脂（水を吸水させたもの）組合せ
【図８】高吸油性樹脂（消火液を吸油させたもの）と高吸水性樹脂（水を吸水させたもの）組合せ
【符号の説明】
【００２５】１簡易消火器具
２容器
３消火剤〔高吸水性樹脂（水を吸水させたもの）もしくは高吸油性樹脂（消火液を吸油させたもの）〕
４取っ手棒
５取っ手棒の先端部
６紐状体
７取っ手棒の基端部
８天ぷら鍋
【図１】
0003133381.tif 000003
【図２】
0003133381.tif 000004
【図３】
0003133381.tif 000005
【図４】
0003133381.tif 000006
【図５】
0003133381.tif 000007
【図６】
0003133381.tif 000008
【図７】
0003133381.tif 000009
【図８】
0003133381.tif 000010